(57)【特許請求の範囲】
【請求項１】
ロールの左右両側から突出した回転軸に左右一対のベアリングがそれぞれ取り付けられた状態で、前記ロールを洗浄するロール洗浄装置であって、
上面が開口して前記左右一対のベアリングを支持するベアリング支持部がそれぞれ載置されると共に、第１の洗浄液が入った外洗浄槽と、
前記外洗浄槽の前記第１の洗浄液に浸され、かつ、上面が開口して前記ロールの下部が浸されるように第２の洗浄液が入った内洗浄槽と、
前記外洗浄槽の底面に配された超音波振動子と、
前記回転軸に連結され、前記ロールを回転させるモータと、
を有し、
左右一対の前記ベアリング支持部が前記外洗浄槽の左右両側壁にそれぞれ載置され、
前記外洗浄槽に入った前記第１の洗浄液の液面高さは、前記ベアリング支持部よりも低い位置にし、
前記ロールの外径が、前記ベアリングと前記ベアリング支持部の外径よりも小さく、
前記ロールの回転軸が、前記内洗浄槽の左右両側面の上端に接触しないように配され、かつ、前記ベアリングと前記ベアリング支持部が前記内洗浄槽の前記左右両側面によって、前記内洗浄槽に入った前記第２の洗浄液と仕切られている、
ことを特徴とするロール洗浄装置。
【請求項２】
前記ロールが、グラビアロールである、
ことを特徴とする請求項１に記載のロール洗浄装置。
【請求項３】
前記ロールの上方において、前記ロールの軸方向に移動して、前記ロールの上部を洗浄する洗浄手段が配された、
ことを特徴とする請求項１又は２に記載のロール洗浄装置。
【発明の詳細な説明】
【技術分野】
【０００１】
本発明は、グラビアロール等のロール洗浄装置に関するものである。
【背景技術】
【０００２】
従来より、グラビアロールや印刷ロール等を洗浄する場合には、例えば、洗浄液供給ノズルからロールに対し洗浄液を吹き付けてその外周面を洗浄する洗浄装置が提案されている（例えば、特許文献１参照）。
【先行技術文献】
【特許文献】
【０００３】
【特許文献１】特開平６−１２２１９１号公報
【発明の概要】
【発明が解決しようとする課題】
【０００４】
しかし、上記のような洗浄装置においては、ロールを回転支持するベアリングとそれを支持するベアリング支持部をロールの回転軸から取り外して洗浄する必要がある。もし、ベアリングとベアリング支持部を取り外さないと、吹き付けられた洗浄液でベアリング支持部で支持されたベアリングが腐食するからである。また、ロールの外径が、ベアリング支持部の外径より小径であるときは、ベアリングとベアリング支持部を付けたまま、ロールの洗浄液に漬けたままの洗浄がより難しくなる。
【０００５】
そこで、本発明は上記問題点に鑑み、ロールからベアリングを取り外すことなく洗浄できるロール洗浄装置を提供する。
【課題を解決するための手段】
【０００６】
本発明は、ロールの左右両側から突出した回転軸に左右一対のベアリングがそれぞれ取り付けられた状態で、前記ロールを洗浄するロール洗浄装置であって、上面が開口して前記左右一対のベアリングを支持するベアリング支持部がそれぞれ載置されると共に、第１の洗浄液が入った外洗浄槽と、前記外洗浄槽の前記第１の洗浄液に浸され、かつ、上面が開口して前記ロールの下部が浸されるように第２の洗浄液が入った内洗浄槽と、前記外洗浄槽の底面に配された超音波振動子と、前記回転軸に連結され、前記ロールを回転させるモータと、を有し、左右一対の前記ベアリング支持部が前記外洗浄槽の左右両側壁にそれぞれ載置され、前記外洗浄槽に入った前記第１の洗浄液の液面高さは、前記ベアリング支持部よりも低い位置にし、前記ロールの外径が、前記ベアリングと前記ベアリング支持部の外径よりも小さく、前記ロールの回転軸が、前記内洗浄槽の左右両側面の上端に接触しないように配され、かつ、前記ベアリングと前記ベアリング支持部が前記内洗浄槽の前記左右両側面によって、前記内洗浄槽に入った前記第２の洗浄液と仕切られている、ことを特徴とするロール洗浄装置である。
【発明の効果】
【０００７】
本発明によれば、ロールからベアリングを取り外すことなく洗浄できる。
【発明を実施するための形態】
【０００８】
以下、本発明の一実施例のロール洗浄装置１０について図１に基づいて説明する。
【０００９】
このロール洗浄装置１０は、印刷ロール、グラビアロール等の表面がインク等によって汚れた場合に、その汚れを洗浄するものである。洗浄されるロール１２は、ロール１２の左右両端部から回転軸１４，１４が突出し、これら回転軸１４，１４には、左右一対のベアリング１６，１６が、ベアリング支持部１７によって取り付けられている。また、ロール１２の外径は、ベアリング１６及びベアリング支持部１７の外径よりも小さい寸法である。
【００１０】
（１）ロール洗浄装置１０の構造
ロール洗浄装置１０は、ステンレス製の外洗浄槽１８と、ステンレス製の内洗浄槽２０の二重構造となっている。
【００１１】
外洗浄槽１８の上面は開口し、外洗浄槽１８の左右両側面の上端に、ロール１２の左右一対のベアリング支持部１７，１７が載置されて固定される。外洗浄槽１８内部には、第１の洗浄水である水が満たされ、また、外洗浄槽１８の底面には超音波振動子２２が配され、水の中を上方に向かって超音波を放射させる。
【００１２】
内洗浄槽２０は、外洗浄槽１８の水内部にその下部が浸されるように配置されている。内洗浄槽２０の上面は開口し、ロール１２の回転軸１４が、内洗浄槽２０の左右両側面の上端に接触しないように配され、これにより回転軸１４が回転自在となっている。内洗浄槽２０内部には、ロール１２を洗浄するための第２の洗浄水である有機溶剤が入っており、ロール１２を内洗浄槽２０に水平方向に載置したときに、ロール１２の下部が有機溶剤に浸される。また、外洗浄槽１８の水の液面高さは、内洗浄槽２０の有機溶剤の液面高さよりも低い位置にある。
【００１３】
ロール１２の一方の回転軸１４には、カップリング２４を介してモータ２６が連結されている。このモータ２６は、ロール１２を所定速度で回転させる。
【００１４】
内洗浄槽２０の上方、すなわち、ロール１２の上方には軸方向（左右方向）にレール２８が配されている。レール２８の下部には、左右方向にアクチュエータで移動するブラシ３０が設けられている。ブラシ３０の下面にはブラシ毛３２が植毛されている。ブラシ３０が、レール２８の下部を左右方向に移動することにより、ブラシ３０のブラシ毛３２が、回転するロール１２の上部を洗浄する。
【００１５】
超音波振動子２２から内洗浄槽２０の底面までの距離は、例えば約２〜３ｃｍであり、内洗浄槽２０の底面からロール１２の下面までの距離は、例えば２〜３ｃｍである。また、ロール１２の外径としては、例えば４〜６ｃｍであり、ベアリング１６の外径としては、約６〜８ｃｍである。ロール１２の軸方向の長さは、例えば１．２〜１．３ｍである。
【００１６】
（２）ロール洗浄装置１０の動作状態
次に、ロール洗浄装置１０の動作状態について図１に基づいて説明する。
【００１７】
上記したように外洗浄槽１８の水に内洗浄槽２０を浸し、内洗浄槽２０の有機溶剤にロール１２を浸し、ロール１２からベアリング１６及びベアリング支持部１７，１７を取り外すことなく、ベアリング支持部１７，１７を外洗浄槽１８の左右両側面の上端に載置して固定する。外洗浄槽１８に入っている水の液面高さは、ベアリング支持部１７，１７の位置よりも低い位置になるようにして、ベアリング１６，１６とベアリング支持部１７，１７に水がかからないようにする。
【００１８】
モータ２６を回転させると、ロール１２は内洗浄槽２０の有機溶剤の中で所定速度で回転する。外洗浄槽１８に配された超音波振動子２２を振動させると、その振動が水を伝わり、さらに内洗浄槽２０にある有機溶剤をも振動させて、回転するロール１２の下部を振動した有機溶剤が洗浄する。一方、ロール１２の上面は、左右方向に移動するブラシ３０によって洗浄される。
【００１９】
なお、ロール１２を洗浄する時間は、ロール１２の表面に付着した汚れや有機溶剤の種類によって異なり、例えば、数十分〜１日等である。
【００２０】
（３）効果
本実施例によれば、ベアリング１６，１６とベアリング支持部１７，１７を取り外すことなくロール１２の外周面を全て洗浄することができ、この場合に超音波振動した有機溶剤によって、ロール１２の溝等に入っているインクや汚れを細かく除去することができ、また、ブラシ３０によってもその汚れを除去することができる。
【００２１】
また、超音波振動子２２は、水が入った外洗浄槽１８に配されているため、有機溶剤の悪影響を受けることがない。
【００２２】
ベアリング１６及びベアリング支持部１７は、ロール１２の外径よりも大きいが、外洗浄槽１８に載置されると共に、外洗浄槽１８の水の水面よりも高い位置にあるため、ベアリング１６に水がかかることがなく、ベアリング１６が水によって腐食することがない。また、ベアリング１６及びベアリング支持部１７が有機溶剤の悪影響を受けることもない。
【００２３】
（４）変更例
本発明は上記各実施例に限らず、その主旨を逸脱しない限り種々に変更することができる。
【００２４】
上記実施例では、外洗浄槽１８に入っている第１の洗浄液は水であったが、これに限らず、超音波振動子２２に悪影響を及ぼさない液体であればよい。
【００２５】
上記実施例では、内洗浄槽２０に入っている第２の洗浄液としては、有機溶剤を挙げたが、これに限らずロール１２の表面を除去する液体であれば有機溶剤以外でもよい。
【００２６】
上記実施例では、ロール１２の上部をブラシ３０によって洗浄したが、このブラシ３０を用いず、内洗浄槽２０による洗浄だけでもよい。また、ブラシ３０に代えて、布等によってロール１２の上部を洗浄してもよい。
【００２７】
上記実施例では、ロール１２の外径は、ベアリング１６及びベアリング支持部１７より小径であったが、ベアリング１６より大きく、かつ、ベアリング支持部１７より小さくてもよい。
【図面の簡単な説明】
【００２８】
【図１】本発明の一実施例に係るロール洗浄装置の縦断面図である。
【符号の説明】
【００２９】
１０  洗浄装置
１２  ロール
１４  回転軸
１６  ベアリング
１７  ベアリング支持部
１８  外洗浄槽
２０  内洗浄槽
２２  超音波振動子
２４  カップリング
２６  モータ
２８  レール
３０  ブラシ
【図１】
0005468368.tif 000002